(57)【要約】  記録容量を増加させうるホログラフィック記録媒体、記録再生装置及び記録再生方法を提供する。  信号光と参照光との干渉によりデータを含んでいるホログラムがページ単位で記録されるホログラフィック記録媒体は、複数ページが重畳記録され、複数ページのうち、互いに異なる２枚の隣接したページ間に選択性が相対的に小さな位置にデータが含まれた追加ページが少なくても１つ以上記録される。
2010522947.tif 000002
【特許請求の範囲】
【請求項１】
信号光と参照光との干渉によりデータを含んでいるホログラムが記録されるホログラフィック記録媒体において、
複数ページが重畳記録され、
前記複数ページのうち、２枚の隣接したページ間に、他の領域と比較して相対的に小さな選択性を有する領域にデータが記録され、前記他の領域には、データの記録されない追加ページが記録されることを特徴とするホログラフィック記録媒体。
【請求項２】
前記追加ページの大きさは、前記隣接したページの大きさとは異なることを特徴とする請求項１に記載のホログラフィック記録媒体。
【請求項３】
前記追加ページの信号構成は、前記隣接したページの信号構成の一部と同一に形成されることを特徴とする請求項１に記載のホログラフィック記録媒体。
【請求項４】
前記追加ページの信号構成は、前記隣接したページの信号構成とは異ならせて形成されることを特徴とする請求項１に記載のホログラフィック記録媒体。
【請求項５】
前記隣接したページに記録されたデータはユーザデータであり、前記追加ページに記録されたデータはユーザデータではない付加情報を含むことを特徴とする請求項１に記載のホログラフィック記録媒体。
【請求項６】
信号光と参照光との干渉によりデータを含んでいるホログラムが記録されるホログラフィック記録媒体において、
第１ページと第２ページとを含むブックであって、前記第１ページと前記第２ページは、各々データを含み、前記第２ページは前記第１ページに基づいて最大選択性を有するようにデータが記録される、ブックと、
前記第１ページと前記第２ページとの間に、前記最大選択性より小さな選択性を有する第３ページが記録されることを特徴とするホログラフィック記録媒体。
【請求項７】
前記第３ページでデータは、前記第３ページの他の領域に比べて選択性の相対的に小さな領域に配列されることを特徴とする請求項６に記載のホログラフィック記録媒体。
【請求項８】
ホログラフィック記録媒体にデータを記録する装置において、
信号光と参照光との干渉を利用してデータを複数ページ上に重畳させて前記ホログラフィック記録媒体に記録する光処理部と、
前記複数ページのうち、２枚の隣接したページ間に、他の領域と比較して、選択性の相対的に小さな領域にデータの一部が含まれた追加ページを記録するように前記光処理部を制御する制御部と、を含むことを特徴とするホログラフィック記録媒体の記録装置。
【請求項９】
前記制御部は、前記追加ページの大きさを前記隣接したページの大きさと異ならせて生成することを特徴とする請求項８に記載のホログラフィック記録媒体の記録装置。
【請求項１０】
前記制御部は、前記追加ページの信号構成を前記隣接したページの信号構成の一部と同一に形成することを特徴とする請求項８に記載のホログラフィック記録媒体の記録装置。
【請求項１１】
前記制御部は、前記追加ページの信号構成を前記隣接したページの信号構成とは異ならせて形成することを特徴とする請求項８に記載のホログラフィック記録媒体の記録装置。
【請求項１２】
前記データはユーザデータを含み、前記データ部分は前記ユーザデータではない付加情報を含むことを特徴とする請求項８に記載のホログラフィック記録媒体の記録装置。
【請求項１３】
信号光と参照光との干渉によりデータが複数ページ上に重畳記録されたホログラフィック記録媒体からデータを再生する装置において、
前記ホログラフィック記録媒体からデータを読出す光処理部と、
前記ホログラフィック記録媒体から前記複数ページのうち、２枚の隣接したページ間に記録された追加ページからデータの一部を読出すべく、前記光処理部を制御する制御部を含み、前記データの一部は、追加ページの他の領域に比べて、選択性が相対的に小さな領域に記録されていることを特徴とするホログラフィック記録媒体の再生装置。
【請求項１４】
前記追加ページの大きさは、前記隣接したページの大きさとは異なることを特徴とする請求項１３に記載のホログラフィック記録媒体の再生装置。
【請求項１５】
前記追加ページの信号構成は、前記隣接したページの信号構成の一部と同一に形成されることを特徴とする請求項１３に記載のホログラフィック記録媒体の再生装置。
【請求項１６】
前記追加ページの信号構成は、前記隣接したページの信号構成とは異ならせて形成されていることを特徴とする請求項１３に記載のホログラフィック記録媒体の再生装置。
【請求項１７】
前記制御部は、前記隣接したページからユーザデータを得て、前記追加ページから前記ユーザデータとは異なる付加情報を得ることを特徴とする請求項１３に記載のホログラフィック記録媒体の再生装置。
【請求項１８】
信号光と参照光との干渉を利用してデータが複数ページに重畳記録されるホログラフィック記録媒体にデータを記録する方法において、
前記複数ページのうち、２枚の隣接したページ間に、他の領域に比べて選択性の相対的に小さな領域にデータが記録される追加ページを記録する段階を含むことを特徴とする記録方法。
【請求項１９】
前記記録段階は、
前記追加ページの大きさを前記隣接したページの大きさと異ならせて生成する段階を含むことを特徴とする請求項１８に記載の記録方法。
【請求項２０】
前記記録段階は、
前記追加ページの信号構成を前記隣接したページの信号構成の一部と同一に形成する段階を含むことを特徴とする請求項１８に記載の記録方法。
【請求項２１】
前記記録段階は、
前記追加ページの信号構成を前記隣接したページの信号構成とは異ならせて形成する段階を含むことを特徴とする請求項１８に記載の記録方法。
【請求項２２】
前記記録段階は、
前記隣接したページにはユーザデータを記録し、前記追加ページには前記ユーザデータとは異なる付加情報を記録する段階を含むことを特徴とする請求項１８に記載の記録方法。
【請求項２３】
信号光と参照光との干渉によりデータが複数ページ上に重畳記録されたホログラフィック記録媒体からデータを再生する方法において、
前記ホログラフィック記録媒体から前記複数ページのうち、２枚の隣接したページ間にある追加ページから前記データの一部を再生する段階を含み、前記追加ページの前記データの一部は、前記追加ページの他の領域に比べて選択性の相対的に小さな領域に記録されることを特徴とする再生方法。
【請求項２４】
前記追加ページの大きさは、前記隣接したページの大きさとは異なることを特徴とする請求項２３に記載の再生方法。
【請求項２５】
前記追加ページの信号構成は、前記隣接したページの信号構成の一部と同一に形成されることを特徴とする請求項２３に記載の再生方法。
【請求項２６】
前記追加ページの信号構成は、前記隣接したページの信号構成とは異ならせて形成されていることを特徴とする請求項２３に記載の再生方法。
【請求項２７】
前記再生段階は、
前記隣接したページからユーザデータを再生し、前記追加ページから前記ユーザデータとは異なる付加情報を再生する段階を含むことを特徴とする請求項２３に記載の再生方法。
【請求項２８】
信号光と参照光との干渉を利用して、データが複数ページに重畳記録されるホログラフィック記録媒体において、
データが記録される第１ページと、
データが記録され、前記第１ページと所定角度離れて位置される第２ページと、
前記第１ページと前記第２ページとの間に記録され、前記データの一部が記録される第３ページと、であって、前記データの一部は、前記第１ページと前記第２ページとの間でクロストークを最小化する前記第３ページ内の位置にのみ記録されることを特徴とするホログラフィック記録媒体。
【請求項２９】
前記第３ページは、前記所定角度のほぼ半分の他の角度ほど前記第１ページと離れて位置されることを特徴とする請求項２８に記載のホログラフィック記録媒体。
【請求項３０】
前記角度は、約０．０３８°であり、前記他の角度は、約０．０１９°であることを特徴とする請求項２９に記載のホログラフィック記録媒体。
【請求項３１】
前記データの一部は、前記クロストークを減少させるために、前記第３ページの他の領域に比べて、相対的に小さな選択性を有する前記第３ページの領域に記録されることを特徴とする請求項２８に記載のホログラフィック記録媒体。
【請求項３２】
前記データは、ユーザデータを含み、前記データの一部は、前記ユーザデータとは異なる付加情報を含むことを特徴とする請求項２８に記載のホログラフィック記録媒体。
【請求項３３】
ホログラフィック記録媒体の記録及び／または再生装置において、
信号光と干渉光との干渉により前記ホログラフィック記録媒体に複数ページ上にデータを記録する光処理部と、
前記複数ページの２枚の隣接したページ間に前記データの一部を有する追加ページを記録するように、前記光処理部を制御する制御部と、を含み、前記データの一部は、前記２枚の隣接したページ間のクロストークを最小化する前記追加ページ内の位置にのみ記録されることを特徴とするホログラフィック記録媒体の記録及び／または再生装置。
【請求項３４】
前記第３ページは、前記所定角度のほぼ半分の他の角度ほど、前記第１ページと離れて位置されることを特徴とする請求項３３に記載のホログラフィック記録媒体の記録及び／または再生装置。
【請求項３５】
前記角度は、約０．０３８°であり、前記他の角度は、約０．０１９°であることを特徴とする請求項３４に記載のホログラフィック記録媒体の記録及び／または再生装置。
【請求項３６】
前記データの一部は、前記クロストークを減少させるために、前記第３ページの他の領域に比べて相対的に小さな選択性を有する前記第３ページの領域に記録されることを特徴とする請求項３３に記載のホログラフィック記録媒体の記録及び／または再生装置。
【請求項３７】
前記データはユーザデータを含み、前記データの一部は前記ユーザデータとは異なる付加情報を含むことを特徴とする請求項３３に記載のホログラフィック記録媒体の記録及び／または再生装置。
【請求項３８】
信号光と干渉光との干渉により重畳的にホログラフィック記録媒体上の複数ページに記録されたデータを再生するホログラフィック記録媒体の再生及び／または記録装置において、
前記ホログラフィック記録媒体から前記データを再生する光処理部と、
前記複数ページの隣接した２ページ間に記録されたデータの一部を有する追加ページを再生するように、前記光処理部を制御する制御部と、を含み、前記データの一部は、前記隣接した２ページ間のクロストークを最小化する前記追加ページ内の位置にのみ記録されることを特徴とするホログラフィック記録媒体の再生及び／または記録装置。
【請求項３９】
前記データの一部は、前記クロストークを減少させるために、前記追加ページの他の領域に比べて相対的に小さな選択性を有する前記追加ページの領域に記録されることを特徴とする請求項３８に記載のホログラフィック記録媒体の再生及び／または記録装置。
【発明の詳細な説明】
【技術分野】
【０００１】
本発明は、記録容量を増加させうるホログラフィック記録媒体、記録再生装置及び記録再生方法に関する。
【背景技術】
【０００２】
光学ホロフラフィで、データは、記録媒体の表面ではなく、ボリュームを通じて保存される。信号を含んでいる光は記録媒体内で参照光と干渉を起こしてデータページと呼ばれる干渉グレーティングを生成する。複数個のグレーティングが参照光の光学特性を変化させることによって重畳される。このようなプロセスを多重化（ｍｕｌｔｉｐｌｅｘｉｎｇ）と呼ぶ。データ読出時には、単一の参照光がデータ記録に使われた条件と同じ条件下で記録媒体に入射され、保存されたデータページを示す回折光を生成する。回折光は、検出アレイにより検出され、該検出アレイは測定された強度パターン（ｉｎｔｅｎｓｉｔｙ  ｐａｔｔｅｒｎ）から保存されたデータビットを抽出する。データページは、多数のデータビットまたは画素を含んでいる。このような複数のデータページを同じボリュームに重畳させることによって、データ保存容量も大きくなりうる。
【０００３】
ホログラムは、データを含む信号光と参照光とを利用して記録される。記録時に、図１Ａに示されたように、参照光Ｒと信号光Ｓは、干渉パターンを生成するために、互いに干渉し、このような干渉パターンがホログラフィック記録媒体１００に伝達される。再生時に、図１Ｂに示されたように、媒体に記録されたホログラムにオリジナル参照光Ｒを照射すれば、これが記録されたホログラムの回折現象を起こして出力信号光Ｓを生成する。この際、参照光が記録時に使われた元の光と差が出れば、再生光の光量や方向が元の記録光と異なる。一般的に、このような差が大きくなると、光量がｓｉｎｃ関数の形に減少する。
【０００４】
図２は、ホログラフィック記録媒体にデータを記録する時、信号光の領域別角度を示す図である。図２を参照するに、ホログラフィック記録媒体に信号光及び参照光が入射する様子が現れている。信号光は、ＳＬＭ２１０（ｓｐａｔｉａｌ  ｌｉｇｈｔ  ｍｏｄｕｌａｔｏｒ）のような光変調器で変調されてページの形でホログラフィック記録媒体に集光される。この際、ＳＬＭ２１０は、面状であって、ＳＬＭ２１０の領域によって記録媒体に入射される信号光の角度が変わる。ＳＬＭ２１０の領域を参照光のスキャン方向に沿って図２のａ、ｂ、ｃ及びｄ領域に分け、各領域からの信号光の入射角及び選択性（ｓｅｌｅｃｔｉｖｉｔｙ）を計算すれば、表１のようである。
【０００５】
【表１】
2010522947.tif 000003
信号光がホログラフィック記録媒体１００に入射する角度は、媒体の法線方向に対する信号光の角度であって、ＳＬＭのａ領域では３５．８６゜であり、ｂ領域は２８．６２゜、ｃ領域は２１．３８゜、ｄ領域は１４．１４゜であって、各領域は約７．２４゜の角度偏差を示す。これは媒体に信号光が入射する前にＮＡ（ｎｕｍｅｒｉｃａｌ  ａｐｅｒｔｕｒｅ）を有する対物レンズを通過するためである。
【０００６】
光の入射時、中心軸で所定角度以下の位置を取らないと、光は外へ屈折することになるが、光が外に屈折せず、レンズ内で全反射して伝播する最大角度の正弦をＮＡという。それぞれの領域での信号光の選択性を計算してみれば、角度が小さいほど、大きな選択性を有することが分かる。すなわち、ＳＬＭの領域によって信号光の選択性値が変わり、クロストークによって高い選択性値を選択することが普通である。選択性値が高まれば、記録される角度間隔が大きくなるので、ホログラフィック記録媒体の高密度多重化が難しくなるという問題点がある。
【０００７】
図３は、ページ３００で領域を分けた例である。図３は、ＳＬＭ２１０で光変調されたページ形態の信号光であって、ページで領域を、参照光のスキャン方向に沿ってＡ、Ｂ、Ｃ及びＤに分けたものである。図４は、図３で分けた領域での選択性を測定した後、これを示すグラフである。領域による選択性は、表１の結果と同様に領域別に異なる値を示し、したがって、ページの領域の位置によって、クロストーク値が異なった値を有する。ページ間クロストークを最小とするためには、最大選択性を選択して記録間隔を定めるので、高密度のデータ記録が難しい。
【発明の概要】
【発明が解決しようとする課題】
【０００８】
本発明は、前記問題点を解決して、記録容量の増加を可能にするホログラフィック記録媒体、記録及び／または再生装置及び記録及び／または再生方法を提供することを目的とする。
【課題を解決するための手段】
【０００９】
前記課題を解決するための本発明の一特徴は、信号光と参照光との干渉によりデータを含んでいるホログラムが記録されるホログラフィック記録媒体において、複数ページが重畳記録され、前記複数ページのうち、２枚の隣接したページ間に、他の領域と比較して相対的に小さな選択性を有する領域にデータが記録され、前記他の領域にはデータが記録されない追加ページ（ａｄｄｉｔｉｏｎａｌ  ｐａｇｅ）が記録される。
【００１０】
本発明の一特徴によれば、前記追加ページの大きさは、前記隣接したページの大きさとは異なることが望ましい。
【００１１】
本発明の一特徴によれば、前記追加ページの信号構成は、前記隣接したページの信号構成の一部と同一に形成されるか、前記追加ページの信号構成は、前記隣接したページの信号構成とは異ならせて形成されることが望ましい。
【００１２】
本発明の一特徴によれば、前記隣接したページに記録されたデータは、ユーザデータであり、前記追加ページに記録されたデータは、ユーザデータではない付加情報を含むことが望ましい。
【００１３】
本発明の他の特徴によれば、信号光と参照光との干渉によりデータを含んでいるホログラムが記録されるホログラフィック記録媒体において、第１ページと第２ページとを含むブックであって、前記第１ページと前記第２ページは各々データを含み、前記第２ページは、前記第１ページに基づいて最大選択性を有するようにデータが記録されるブックと、前記第１ページと前記第２ページとの間に、前記最大選択性より小さな選択性を有する第３ページが記録される。
【００１４】
本発明の他の特徴によれば、前記第３ページでデータは、前記第３ページの他の領域に比べて選択性の相対的に小さな領域に配列される。
【００１５】
本発明の他の特徴によれば、ホログラフィック記録媒体にデータを記録する装置において、信号光と参照光との干渉を利用して、データを複数ページ上に重畳して前記ホログラフィック記録媒体に記録する光処理部と、前記複数ページのうち、２枚の隣接したページ間に、他の領域と比較して選択性の相対的に小さな領域にデータの一部が含まれた追加ページを記録するように、前記光処理部を制御する制御部を含む。
【００１６】
本発明のさらに他の特徴によれば、信号光と参照光との干渉によりデータが複数ページ上に重畳記録されたホログラフィック記録媒体からデータを再生する装置において、前記ホログラフィック記録媒体からデータを読出す光処理部と、前記ホログラフィック記録媒体から前記複数ページのうち、２枚の隣接したページ間に記録された追加ページからデータの一部を読出すべく、前記光処理部を制御する制御部を含み、前記データの一部は、追加ページの他の領域に比べて選択性の相対的に小さな領域に記録されているものである。
【００１７】
本発明のさらに他の特徴によれば、信号光と参照光との干渉を利用して、データが複数ページに重畳記録されるホログラフィック記録媒体にデータを記録する方法において、前記複数ページのうち、２枚の隣接したページ間に、他の領域に比べて選択性の相対的に小さな領域にデータが記録される追加ページを記録する段階を含む。
【００１８】
本発明のさらに他の特徴によれば、信号光と参照光との干渉によりデータが複数ページ上に重畳記録されたホログラフィック記録媒体からデータを再生する方法において、前記ホログラフィック記録媒体から前記複数ページのうち、２枚の隣接したページ間にある追加ページから前記データの一部を再生する段階を含み、前記追加ページの前記データの一部は、前記追加ページの他の領域に比べて選択性の相対的に小さな領域に記録される。
【発明の効果】
【００１９】
本発明によれば、ホログラフィック記録媒体で既存のページとページとの間にクロストークに影響を与えない追加的なページをさらに記録することによって、記録容量を増加させうる。
【図面の簡単な説明】
【００２０】
【図１Ａ】光学ホロフラフィで記録と再生とを説明するための参考図である。
【図１Ｂ】光学ホロフラフィで記録と再生とを説明するための参考図である。
【図２】ホログラフィック記録媒体にデータを記録する時、信号光の領域別角度を示す図である。
【図３】ページで領域を分けた例である。
【図４】図３で分けた領域での選択性を示すグラフである。
【図５Ａ】本発明による記録方法を説明するための参考図である。
【図５Ｂ】本発明による記録方法を説明するための参考図である。
【図５Ｃ】本発明による記録方法を説明するための参考図である。
【図６】本発明によって複数ページが重畳記録された形を示す図である。
【図７】本発明による記録再生装置の概略図である。
【図８】本発明による記録過程のフローチャートである。
【図９】本発明による再生過程のフローチャートである。
【発明を実施するための形態】
【００２１】
以下、添付された図面を参照して本発明を詳細に説明する。
【００２２】
クロストークを増加させずとも、記録容量を増やすために本発明が着眼したのは、既存のページとページとの間にクロストークに影響を与えずに、追加ページをさらに記録するということである。すなわち、本発明では、クロストークが信号の位置によって変わる点を利用して、ページの大きさを２種以上にして、クロストークのない角度で記録することによって、記録容量を増加させうる。
【００２３】
具体的な方法を図５Ａ、図５Ｂ、図５Ｃを参照して説明する。
【００２４】
例えば、ページ内の各位置によって選択性が０．１から０．０３８まで出てくるとすれば、既存の方法では、ページ内のクロストークをなくすために、少なくともページ内の最大選択性である０．０３８°ほど角度をあけてページを重畳記録する。もちろん、選択性は、０．１ないし０．０３８°とは異なる範囲になりうる。すなわち、図５Ａを参照するに、オリジナルページ５１０を第１角度で記録した場合、このページに隣接した他のオリジナルページ５３０は、図５Ｃに示されたように、第１角度＋０．０３８°で記録せねばならない。
【００２５】
しかし、本発明による方法では、２つの隣接したオリジナルページ５１０、５３０のうち、追加的に大きさの小さなページを挿入して記録する。このように、既存の隣接したページ間に追加的に挿入されるページを“追加ページ５２０と呼ぶ。
【００２６】
図５Ｂを参照するに、第１角度で記録したページ５１０と第１角度＋０．０３８角度で記録したページ５３０間に、第１角度＋０．１９°で記録した追加ページ５２０が図示されている。言い換えれば、追加ページ５２０は、オリジナル隣接ページ５１０、５３０を分離する角度の半分である異なる角度で記録される。表１を参照すると、そのような記録は、選択性０．１４と０．１６とを有する領域（ｃ）、（ｄ）と比較して、さらに低い選択性０．１１と０．１２とを有するＳＬＭ２１０の領域（ａ）、（ｂ）になる。図５Ｂを参照するに、このような追加ページ５２０の具現は、もともと既存のページとは異なるページの大きさを有するもので構成するか、あるいはページの大きさは既存のページの大きさと同一であるが、実際にデータが含まれる領域を小さく配列するもので構成することもできる。
【００２７】
この追加ページのデータは、全体ページで選択性の相対的に小さな部分に位置される。選択性が相対的に小さいために、この追加ページが隣接した既存のページに与えるクロストークはほとんどない。したがって、クロストークによる信号の劣化を起こさずに、既存より記録容量を増加させうる。この際、既存ページの中間に挿入される追加ページの大きさは、選択性の差によってその大きさを決定すればよい。
【００２８】
図６は、本発明によってページとページとの間に１つの追加ページを記録した場合、複数ページが重畳されたブック６００の形態を示す。ブック６００で追加ページ５２０は各オリジナルページ５１０、５３０、５５０、５７０、５９０の間に各々挿入される。本発明の一特徴によってブック６００は、図６に示されたページ数より多いか、さらに少数のページを含むことができる。
【００２９】
図６を参照するに、例えば、追加ページ５２０にデータを含みうる容量が既存ページ５１０の半分程度とすれば、このように本発明によって追加ページを記録することによって、記録容量を約５０％ほど増加させうる。図６に示された例では、既存のページとページとの間に１つの追加ページが挿入される場合のみを図示したが、クロストークに影響を与えないならば、既存のページ５１０とページ５３０との間には１つ以上の追加ページが挿入されうる。
【００３０】
図７は、本発明の一実施例によるホログラム記録及び／または再生装置７０１の概略的な構成を示すブロック図である。図７を参照するに、本発明の一実施例によるホログラフィック記録再生装置は、ホログラフィック記録媒体７００が挿入された光処理部７１０、ホログラフィック記録媒体７００にデータを記録するか、前記媒体７００からデータを再生するように、光処理部７１０を制御する制御部７２０を含む。
【００３１】
光処理部７１０は、レーザー光源７１１、ビームスプリッタ７１２、第１反射鏡７１３、空間光変調器７１４、第１レンズ７１５、第２反射鏡７１６、第２レンズ７１７、第３レンズ７１８及び検出部７１９を含む。
【００３２】
制御部７２０は、光処理部７１０を制御し、また記録データを含むデータページを生成して光処理部７１０に伝送して光処理部７１０から再生された信号をデータ処理する。特に、本発明による制御部７２０は、複数ページのうち、互いに異なる２枚の隣接したページ間に選択性の相対的に小さな追加ページを少なくとも１つ以上記録するように、前記光処理部７１０を制御する。すなわち、図５の例を参照するに、制御部７２０は、ページ５１０を記録するために光処理部７１０で参照光の角度を第１角度に設定し、ページ５２０を記録するために光処理部７１０で参照光の角度を第１角度＋０．０１９に設定し、ページ５３０を記録するために光処理部７１０で参照光の角度を第１角度＋０．０３８に設定する。各ページ５１０、５２０、５３０間の角度変化は、＋０．０１９°より大きいか、小さくなりうる。
【００３３】
制御部７２０は、前記追加ページでデータを角度選択性が相対的に小さな部分に配列するか、前記追加ページの大きさを前記ページの大きさと異ならせて生成しうる。追加ページでデータを角度選択性の相対的に小さな部分に配列することは、追加ページ５２０と既存ページ５１０、５３０との大きさは同一にし、制御部で追加ページにデータを配列する時、角度選択性が相対的に小さな部分に位置させるように具現しうる。追加ページの大きさを既存ページの大きさとは異ならせて形成することは、光処理部７１０のＳＬＭ７１４またはＳＬＭ７１４の前端に配列されるシャッター（図示せず）などを利用して、光がページの一部で遮断されるように具現することである。
【００３４】
また制御部７２０は、前記追加ページの信号構成を前記ページの信号構成の一部と同一に形成するか、前記ページの信号構成とは異ならせて形成しうる。すなわち、追加ページに配列されるデータの変調方法や、０と１との比率を既存ページに配列するデータの変調方法や、０と１との比率と異ならせうる。
【００３５】
また、制御部７２０は、前記ページをユーザデータの記録に利用し、前記追加ページを付加情報の記録に利用させうる。
【００３６】
ホログラフィック記録媒体７００へのデータ記録時、レーザー光源７１１から出力される干渉性を有するレーザー光はビームスプリッタ７１２に入射し、参照光と信号光とに分離される。信号光は、空間光変調器７１４に入射し、記録データを表示する空間光変調器７１４に入射された信号光は空間光変調（振幅変調）される。変調された信号光は、第１レンズ７１５によってホログラフィック記録媒体７００に集光される。一方、参照光は、第２反射鏡７１６により反射され、第２レンズ７１７によりホログラフィック記録媒体７００に照射される。したがって、信号光と参照光とが重なって形成される干渉紋がホログラフィック記録媒体７００に微細な疎密パターンとして記録される。
【００３７】
ホログラフィック記録媒体７００に記録されたデータの再生時には、再生しようとするデータページの記録時に利用された参照光と同じ照明光をホログラフィック記録媒体７００に入射させて、ホログラフィック記録媒体７００に記録されている干渉紋に対応する回折光としてデータが再生され、この回折光が第３レンズ７１８によりＣＣＤやＣＭＯＳで構成される検出部７１９に集光される。検出部７１９で出力される再生信号は制御部７２０に伝達される。
【００３８】
特に、本発明によって制御部７２０は、ホログラフィック記録媒体から前記複数ページのうち、互いに異なる２枚の隣接したページ間に選択性の相対的に小さな追加ページを少なくとも１つ以上読出すべく、前記光処理部７１０を制御する。
【００３９】
図８は、本発明によってホログラフィック記録媒体にデータを記録する過程のフローチャートである。図８を参照するに、ページ内で相対的に選択性が小さな領域を決定する（８１０）。
【００４０】
決定された領域で構成された追加ページを既存のページとページとの間に記録する（８２０）。
【００４１】
図９は、本発明によってホログラフィック記録媒体からデータを再生する過程のフローチャートである。図９を参照するに、ページとページとの間に記録された追加ページを読出すべく、参照光を制御する（９１０）。
【００４２】
次いで、制御された参照光角度で追加ページを読出す（９２０）。
【００４３】
前述したような記録再生方法は、またコンピュータで読取り可能な記録媒体にコンピュータで読取り可能なコードとして具現することができる。コンピュータで読取り可能な記録媒体は、コンピュータシステムによって読取られるデータが保存されるあらゆる記録装置を含む。コンピュータで読取り可能な記録媒体の例としては、ＲＯＭ、ＲＡＭ、ＣＤ−ＲＯＭ、磁気テープ、フロッピー（登録商標）ディスク、光データ保存装置などがあり、またキャリアウェーブ（例えば、インターネットを通じた伝送）の形で具現されるものも含む。またコンピュータで読取り可能な記録媒体は、ネットワークで連結されたコンピュータシステムに分散され、分散方式でコンピュータで読取り可能なコードが保存され、実行されうる。そして、前記記録再生方法を具現するための機能的な（ｆｕｎｃｔｉｏｎ）プログラム、コード及びコードセグメントは、本発明が属する技術分野のプログラマーにより容易に推論されうる。
【００４４】
以上、本発明についてその望ましい実施例を中心に説明した。本発明の当業者ならば、本発明が、本発明の本質的な特性から外れない範囲で変形された形で具現されうることを理解できるであろう。したがって、開示された実施例は限定的な観点ではなく、説明的な観点で考慮せねばならない。本発明の範囲は、前記説明ではなく、特許請求の範囲に示されており、それと同等な範囲内にあるあらゆる差異点は本発明に含まれたものと解釈されねばならない。
【図１Ａ】
2010522947.tif 000004
【図１Ｂ】
2010522947.tif 000005
【図２】
2010522947.tif 000006
【図３】
2010522947.tif 000007
【図４】
2010522947.tif 000008
【図５Ａ】
2010522947.tif 000009
【図５Ｂ】
2010522947.tif 000010
【図５Ｃ】
2010522947.tif 000011
【図６】
2010522947.tif 000012
【図７】
2010522947.tif 000013
【図８】
2010522947.tif 000014
【図９】
2010522947.tif 000015
【国際調査報告】
2010522947.tif 000016
2010522947.tif 000017